(57)【要約】【課題】  壁面等に取り付けられても、見栄えの悪くない物干し竿保持部材を提供する。【解決手段】  物干し竿１の端部に設置されるエンドキャップ２と、該エンドキャップ２が設置された端部を下方より支える受片２２を有する竿受部３と、を備える物干し竿保持部材である。前記竿受部３とエンドキャップ２の少なくとも一方に磁石４を設け、他方には磁石４又は磁性体を設けた。【選択図】        図１
2009261625.tif 000002
【特許請求の範囲】
【請求項１】
物干し竿の端部に設置されるエンドキャップと、該エンドキャップが設置された端部を下方より支える受片を有する竿受部と、を備える物干し竿保持部材であって、前記竿受部とエンドキャップの少なくとも一方に磁石を設け、他方には磁石又は磁性体を設けることを特徴とする物干し竿保持部材。
【発明の詳細な説明】
【技術分野】
【０００１】
本発明は、洗濯物を干す物干し竿を保持する物干し竿保持部材に関するものである。
【背景技術】
【０００２】
従来から、洗濯物を干す物干し竿を両端で支持する物干し竿受具が知られている。（例えば特許文献１参照）
例えば、図４に示す従来の物干し竿受具は、物干し竿を下方から支持する略Ｕ字状の受片３１ａを樹脂製の本体部３２ａから突設して設けてあり、該受片３１ａの内側の上部には、物干し竿が上方に抜けるのを防止する係止部３３ａを設けてある。
【０００３】
このようにして構成された物干し竿受具を、例えば浴室の対向する壁面にそれぞれ固設し、物干し竿の両端を該物干し竿受具に備える受片３１ａにそれぞれ載置することで、浴室の対向する壁面を架設するようにして設置されている。
【特許文献１】実用新案登録第３０５４８３５号公報
【発明の開示】
【発明が解決しようとする課題】
【０００４】
ところで、この物干し竿受具は浴室等の壁面に取り付けられた場合、前記受片３１ａが壁面から突出しているため見栄えが悪い。しかし、該受片３１ａを小さく構成しようとすれば、受片３１ａの支持強度が弱くなるため、洗濯物が吊下がった物干し竿を支持できず破損等するおそれがあり、安全性に問題がある。
【０００５】
本発明は上記従来の問題に鑑みてなされたものであり、その目的とするところは、例えば壁面等に取り付けられても、見栄えの悪くない物干し竿保持部材を提供することにある。
【課題を解決するための手段】
【０００６】
上記課題を解決するために請求項１に係る発明にあっては、物干し竿１の端部に設置されるエンドキャップ２と、該エンドキャップ２が設置された端部を下方より支える受片３１を有する竿受部３と、を備える物干し竿保持部材であって、前記竿受部３とエンドキャップ２の少なくとも一方に磁石４を設け、他方には磁石４又は磁性体を設けることを特徴とするものである。
【０００７】
このように構成することで、物干し竿１と竿受部３とが磁力によって引き合わせると共に、物干し竿１を受片３１にて下方から支持できる。
【発明の効果】
【０００８】
本発明によれば、洗濯物等が吊下がった物干し竿と竿受部とを磁力によって互いに吸引させることで、物干し竿を支持する受片へ及ぼす荷重を減少させることができるので、受片の大きさを小さくできる。即ち、受片が小さくなれば壁面等に設置した場合に目立たなくなり、外観上良好なものとなる。
【発明を実施するための最良の形態】
【０００９】
以下、本発明の一実施形態の浴室の壁面に取り付ける物干し竿保持部材に基づいて、添付図面を用いて説明する。
【００１０】
本実施形態は、浴室内に洗濯物を吊下げる物干し竿１を、浴室内の対向する壁面にそれぞれ設置された竿受部３に載置して架設して成るものである。
【００１１】
浴室の壁面に設置された竿受部３は、下方を円弧状に形成する樹脂製の本体部３２を主体としており、その円弧状の縁辺から前方に向けて物干し竿１を下方より支持する正面視略Ｕ字状の受片３１が突設されている。受片３１の上端の両側からは、内側に向けて先端が対向するように係止部３３が形成されている。前記本体部３２の後面は凹設されており、その凹設された箇所の略全面に亘って磁石４が敷設してある。該磁石４は接着剤等によって固着されるが、固着する方法については特に限定されない。さらに、本体部３２の正面視略中央には固着具挿通孔３４が上下方向に並んで磁石４を貫通して穿設される。
【００１２】
円筒状の物干し竿１の両側の端部には、樹脂製のエンドキャップ２が設置されている。エンドキャップ２は、正面視円形のエンドキャップ本体２１を有しており、該エンドキャップ本体２１の外周縁辺からやや中央側に位置する箇所から縦片２２が突設しており、縦片２２先端からは外方に向けて係止爪２３が形成されている。エンドキャップ本体２１の縦片２２が突設される面の略中央には磁石４が埋設されており、且つ該磁石４はエンドキャップ本体２１の縦片２２が突設していない側の面（即ち、竿受部３載置時に本体部３２と対向する側の面）が本体部３２の後面に配される磁石４と異極となるように設置される。更に、このエンドキャップ本体２１の縦片２２が突設していない側の面には該磁石４が露出しないようになっている。
【００１３】
このように構成されたエンドキャップ２は、上記の通り円筒状の物干し竿１の端部に嵌入される。詳しくは、エンドキャップ２を物干し竿１の端部の開口を閉塞するように、縦片２２の先端に形成された係止爪２３を該開口に向けて挿通し、エンドキャップ２に備える縦片２２を嵌入させる。このとき、該係止爪２３は物干し竿１の内壁によって中央に押圧されながら該内壁に沿って移動する。このような係止爪２３は、縦片２２の復元力によって、円筒状の物干し竿１の内壁を押圧することとなり、エンドキャップ２は物干し竿１の軸方向及び上下左右方向に係止される。
【００１４】
前記竿受部３は浴室の対向する壁面に、ねじ等の固着具を固着具挿通孔３４に挿通して固設される。固設された竿受部３に備える受片３１には、前記エンドキャップ２が設置された物干し竿１の端部が上方から載置されるが、このとき、受片３１に設置された係止部３３によってクリック感が得られると共に、設置が完了したことがわかる。この受片３１に備える係止部３３は、物干し竿１の上方への移動を係止する作用も及ぼすため、特に、物干し竿１に嵌まり込んでいるハンガーを上方へ引き抜く場合等に効果的に作用する。
【００１５】
受片３１に載置された物干し竿１の端部は、エンドキャップ本体２１に埋設された磁石４と竿受部３の本体部３２の後面に設置された磁石４とは異極となるように設置されているため磁力の作用によって、竿受部３の本体部３２と引き合うこととなり、物干し竿１の荷重が受片３１に及ぼす下方への力が軽減される。また、物干し竿１が上方に移動するような場合にあっても、物干し竿１が係止部３３に及ぼす上方への力も該磁力によって軽減される。
【００１６】
このように構成することで、受片３１及び係止部３３へ負荷が軽減されるので、該受片３１及び係止部３３の大きさを小さくすることができる。即ち、浴室の壁面から大きく突出していた受片３１の大きさを小さくできるので、意匠性を向上させることができる。一方、受片３１の大きさを大きいままにしておけば、大きな受片３１による支持力と磁力による吸引力とを備えることができるので、従来のものよりも安全な構造とすることもできる。
【００１７】
なお、本実施例では竿受部３を固着具を用いて浴室の壁面に固設して設置したが、浴室の壁面が鋼板を用いたものである場合には、固着具を必要とせず、竿受部３に備えた磁石４による磁力の作用にて、竿受部３を浴室の壁面に固設して設置することも可能である。
【００１８】
以上、物干し竿保持部材の竿受部３を設置する部位の一例として浴室の壁面に基づいて本発明を説明したが、本発明の被設置部位は一般的な部屋の壁面やベランダやバルコニー等においても使用することができ、特に限定されるものではない。また、上記実施形態では、エンドキャップ２及び竿受部３に磁石４を設置したが、いずれか一方に磁石４を設置し、他方には磁性体を設置するものでもよく、特に限定されない。
【００１９】
上記実施形態では、エンドキャップ２に備える縦片２２を物干し竿１の端部の内側に嵌入した構成であるが、エンドキャップ２を物干し竿１の外径よりも大きくして物干し竿１の端部を覆うよう被嵌して設置するのもよいし、また、物干し竿１の円筒状の端部の周壁の内周側と外周側とに縦片２２をエンドキャップ本体２１から立設し、該周壁を該縦片２２で挟持するようにしてエンドキャップ２を設置してもよく、また、エンドキャップ２及び竿受部３の材質についても特に限定されない。
【図面の簡単な説明】
【００２０】
【図１】本発明の一実施形態の物干し竿を設置する直前の側断面図である。
【図２】同上の竿受部の後部からの斜視図である。
【図３】同上の物干し竿を設置する直前の斜視図である。
【図４】従来の物干し竿受具の斜視図である。
【符号の説明】
【００２１】
１      物干し竿
２      エンドキャップ
２１    エンドキャップ本体
２２    縦片
２３    係止爪
３      竿受部
３１    受片
３２    本体部
３３    係止部
３４    固着具挿通孔
４      磁石
【図１】
2009261625.tif 000003
【図２】
2009261625.tif 000004
【図３】
2009261625.tif 000005
【図４】
2009261625.tif 000006